(57)【要約】【課題】米飯加工食品を包装した状態で、摘み部を容易に摘むことができる米飯加工食品用包装材を提供することを課題とする。【解決手段】本体部は、シート状に形成されており、米飯加工食品を包み込み可能な本体部と、一方向における本体部の第一端部が前記一方向に交差する他方向に間隔を空けた位置で前記一方向に延びる線状に切り込まれて形成された一対の切込部とを備えており、該一対の切込部は、前記一方向の一端部が本体部の端縁に達するように形成される共に、前記一方向における他端部から一端部に向かうに従って間隔が拡開するように形成されており、本体部は、米飯加工食品が間に位置するように前記他方向に沿って二つに折り返されることで対向する一対の対向部を備えており、該一対の対向部が対向するように配置された状態で、一方の対向部の端部に位置する本体部の第一端部が、一対の切込部の間を通って前記一方向に延びる仮想線を中心に、他方の対向部側へ折り返されることで米飯加工食品を包装可能に構成される。【選択図】図２
2019218119.tif 000002
【特許請求の範囲】
【請求項１】
シート状に形成されており、
米飯加工食品を包み込み可能な本体部と、一方向における本体部の第一端部が前記一方向に交差する他方向に間隔を空けた位置で前記一方向に延びる線状に切り込まれて形成された一対の切込部とを備えており、
該一対の切込部は、前記一方向の一端部が本体部の端縁に達するように形成される共に、前記一方向における他端部から一端部に向かうに従って間隔が拡開するように形成されており、
本体部は、米飯加工食品が間に位置するように前記他方向に沿って二つに折り返されることで対向する一対の対向部を備えており、
該一対の対向部が対向するように配置された状態で、一方の対向部の端部に位置する本体部の第一端部が、一対の切込部の間を通って前記一方向に延びる仮想線を中心に、他方の対向部側へ折り返されることで米飯加工食品を包装可能に構成される米飯加工食品用包装材。
【請求項２】
本体部の第一端部から本体部の外側へ向かって延出する延出部を更に備えており、
一対の切込部は、本体部の第一端部及び延出部が前記一方向に交差する他方向に間隔を空けた位置で前記一方向に延びる線状に切り込まれて形成されると共に、延出部側の一端部が延出部の端縁に達するように形成されており、
一対の切込部の間隔は、本体部側から延出部側に向かうに従って拡開するように構成されており、
延出部は、一対の切込部よりも前記他方向の両端側の領域に一対の両側延出領域を備えており、
本体部は、米飯加工食品が間に位置するように前記他方向に沿って二つに折り返されることで対向する一対の対向部を備えており、
該一対の対向部が対向するように配置された状態で、一方の対向部の端部に位置する本体部の第一端部が、一対の切込部の間を通って前記一方向に延びる仮想線を中心に、他方の対向部側へ折り返されることで、一対の両側延出領域同士が連結可能に構成される請求項１に記載の米飯加工食品用包装材。
【請求項３】
前記一方向に沿って切断されることで前記他方向に分割される外シートと、該外シートと同方向に分割可能に構成される内シートとを備え、外シートと、内シートとがシート状食品を介して重ね合わされた状態でシート状食品を囲むように連結されて形成されており、
外シートは、前記本体部を構成する外シート本体部と、前記延出部を構成する外シート延出部と、前記一対の切込部とを備えており、
内シートは、前記本体部を構成する内シート本体部と、前記延出部を構成する内シート延出部とを備えており、
外シート本体部と内シート本体部との間にシート状食品が配置されるように構成されており、
外シート延出部における前記一対の両側延出領域を構成する部分と、内シート延出部における前記一対の両側延出領域を構成する部分とが連結されており、
外シートにおける前記一対の切込部間の領域が内シートに連結されないように構成される請求項２に記載の米飯加工食品用包装材。
【請求項４】
前記一方向に沿って切断されることで前記他方向に分割される外シートと、該外シートと同方向に分割可能に構成される内シートとを備え、外シートと、内シートとがシート状食品を介して重ね合わされた状態でシート状食品を囲むように連結されて形成されており、
外シートは、前記本体部を構成する外シート本体部と、前記延出部を構成する外シート延出部と、前記一対の切込部とを備えており、
内シートは、前記本体部を構成する内シート本体部を備えると共に、前記延出部を構成する部分を備えないように構成されており、
外シート本体部と内シート本体部との間にシート状食品が配置されるように構成されており、
外シート延出部における前記一対の切込部よりも前記他方向の両端側の領域によって前記一対の両側延出領域が構成される請求項２に記載の米飯加工食品用包装材。
【請求項５】
前記延出部は、前記仮想線を境に前記他方向に分離して形成された一対の延出片を備えており、
前記一対の切込部の一方が一方の延出片の端縁に達するように形成され、前記一対の切込部の他方が他方の延出片の端縁に達するように形成されており、
前記一対の延出片は、前記仮想線の近傍に形成される請求項２乃至４の何れか一項に記載の米飯加工食品用包装材。
【請求項６】
前記本体部は、前記一対の切込部における前記本体部側に位置する各他端部を起点に、第一方向において第一端部に対向する第二端部へ向かって切断された際に、他の領域から分離される帯状の分離部を備えており、
前記一対の両側延出領域は、分離部における前記他方の対向部を構成する部分と重なる位置で連結可能に構成される請求項２乃至５の何れか一項に記載の米飯加工食品用包装材。
【発明の詳細な説明】
【技術分野】
【０００１】
本発明は、米飯加工食品を包装する米飯加工食品用包装材に関する。
【背景技術】
【０００２】
コンビニエンスストア等で販売されているおにぎり等の米飯加工食品は、シート状に形成された包装材によって包装された状態で販売されている。例えば、海苔付きおにぎりは、外シートと内シートとの間に海苔を収納した米飯加工食品用包装材（以下、「包装材」ともいう）によって包装されている。このように、外シートと内シートとの間に海苔が収納されることで、おにぎりと海苔とが直に接することがないため、海苔が湿気ってしまうのを抑制することが可能となっている。
【０００３】
前記外シートとしては、例えば、おにぎりを包み込むことができる大きさの略長方形状に形成され、長手方向の一端部に長手方向に沿って一対の平行な切り込み（以下、切込部とも記す）が形成されたものが用いられる。該一対の切込部は、それぞれの一端部が外シートの端縁に達するように形成されているため、一対の切込部の間の領域が他の領域から分離される。これにより、一対の切込部間に指などで摘むことが可能な摘み部が形成される。また、斯かる外シートは、長手方向に延びる一対のカットテープを備え、該一対のカットテープの一端部が一対の切込部の間に位置するように構成されている。
【０００４】
一方、前記内シートは、外シートと略同一形状となるように構成される。また、内シートは、２枚のシート片から構成されている。該２枚のシート片は、外シートと内シートとを重ね合わせた際、該外シートの一対のカットテープ間の領域と対応する位置で一方のシート片の内側端部と他方のシート片の内側端部とが重なるように構成されている。これにより、内シートは、幅方向へ容易に分割できるように構成されている。
【０００５】
上記のような包装材を用いておにぎりを包装する際には、おにぎりが間に位置するように包装材を長手方向に二つに折り返し、おにぎりを介して対向する一対の対向部の一方（摘み部が形成された方の対向部）におけるおにぎりと重ならない幅方向の両端部（以下、折り返し両端部とも記す）を他方の対向部側へ折り返して重ね合わせる。これにより、折り返し両端部が重なり合うと共に、折り返し両端部が他方の対向部と重なり合う。そして、折り返し両端部と他方の対向部との重なる位置で折り返し両端部と他方の対向部とをヒートシールして連結したり、折り返し両端部と他方の対向部との重なる領域を覆うようにラベルシール（製品情報等を印字したものなど）をはりつけたりすることで、おにぎりが包装された状態が維持される（特許文献１，２参照）。
【先行技術文献】
【特許文献】
【０００６】
【特許文献１】特開平０９−１０３２５５号公報
【特許文献２】特開２００９−２１４９２３号公報
【発明の概要】
【発明が解決しようとする課題】
【０００７】
しかしながら、上記のような包装材では、おにぎりが包装された際に、摘み部よりも包装材の幅方向の両端部側の領域が他方の対向部側へ折り曲げられた状態になるため、摘み部の基端部（一対の切込部の他端部間の領域）が他方の対向部側へ引っ張られた状態になる。これにより、摘み部の全体が湾曲した形状となって摘み部を摘み難くなる。
【０００８】
そこで、本発明は、米飯加工食品を包装した状態で、摘み部を容易に摘むことができる米飯加工食品用包装材を提供することを課題とする。
【課題を解決するための手段】
【０００９】
本発明に係る米飯加工食品用包装材は、シート状に形成されており、米飯加工食品を包み込み可能な本体部と、一方向における本体部の第一端部が前記一方向に交差する他方向に間隔を空けた位置で前記一方向に延びる線状に切り込まれて形成された一対の切込部とを備えており、該一対の切込部は、前記一方向の一端部が本体部の端縁に達するように形成される共に、前記一方向における他端部から一端部に向かうに従って間隔が拡開するように形成されており、本体部は、米飯加工食品が間に位置するように前記他方向に沿って二つに折り返されることで対向する一対の対向部を備えており、該一対の対向部が対向するように配置された状態で、一方の対向部の端部に位置する本体部の第一端部が、一対の切込部の間を通って前記一方向に延びる仮想線を中心に、他方の対向部側へ折り返されることで米飯加工食品を包装可能に構成される。
【００１０】
斯かる構成によれば、米飯加工食品が間に位置するように前記他方向に沿って米飯加工食品包装材を二つに折り返し、一方の対向部の端部に位置する本体部の第一端部（即ち、一対の切込部を備える端部）を他方の対向部側へ折り返した状態（以下、折り返し状態とも記す）で、米飯加工食品が包装される。
そして、一対の切込部は、前記一方向の一端部が本体部の端縁に達するように形成され、且つ、前記一方向の他端部から一端部へ向かうに従って間隔が拡開するように形成される。このため、上述のように、折り返し状態が形成された際に、一対の切込部間に形成される摘み部は、一対の切込部の他端部から一端部側へ向かうに従って面状に広がり易くなる。これにより、摘み部を容易に摘むことができる。
【００１１】
また、本体部の第一端部から本体部の外側へ向かって延出する延出部を更に備えており、一対の切込部は、本体部の第一端部及び延出部が前記一方向に交差する他方向に間隔を空けた位置で前記一方向に延びる線状に切り込まれて形成されると共に、延出部側の一端部が延出部の端縁に達するように形成されており、一対の切込部の間隔は、本体部側から延出部側に向かうに従って拡開するように構成されており、延出部は、一対の切込部よりも前記他方向の両端側の領域に一対の両側延出領域を備えており、本体部は、米飯加工食品が間に位置するように前記他方向に沿って二つに折り返されることで対向する一対の対向部を備えており、該一対の対向部が対向するように配置された状態で、一方の対向部の端部に位置する本体部の第一端部が、一対の切込部の間を通って前記一方向に延びる仮想線を中心に、他方の対向部側へ折り返されることで、一対の両側延出領域同士が連結可能に構成されることが好ましい。
【００１２】
斯かる構成によれば、米飯加工食品が間に位置するように前記他方向に沿って本体部を二つに折り返し、一方の対向部の端部に位置する本体部の第一端部（延出部と連なる端部）を他方の対向部側へ折り返した状態（以下、折り返し状態とも記す）で、一対の両側延出領域同士を連結する。これにより、米飯加工食品が包装された状態を容易に、且つ、良好に維持することができる。具体的には、一対の両側延出領域は、本体部の第一端部から延出するように形成されるため、上述のような折り返し状態であっても、一対の両側延出領域同士の連結を容易に行うことができる。そして、このように一対の両側延出領域同士が連結されることで、折り返し状態を良好に維持することができる。
【００１３】
また、一対の切込部は、本体部の第一端部及び延出部が前記一方向に延びる線状に切り込まれて形成されると共に、延出部側の一端部が延出部の端縁に達するように形成され、且つ、本体部側から延出部側へ向かうに従って間隔が拡開するように形成される。このため、上述のように、一対の両側延出領域同士が連結されて折り返し状態が維持されていても、一対の切込部間に形成される摘み部は、本体部から離れるに従って面状に広がり易くなる。これにより、摘み部を容易に摘むことができる。
【００１４】
前記一方向に沿って切断されることで前記他方向に分割される外シートと、該外シートと同方向に分割可能に構成される内シートとを備え、外シートと、内シートとがシート状食品を介して重ね合わされた状態でシート状食品を囲むように連結されて形成されており、外シートは、前記本体部を構成する外シート本体部と、前記延出部を構成する外シート延出部と、前記一対の切込部とを備えており、内シートは、前記本体部を構成する内シート本体部と、前記延出部を構成する内シート延出部とを備えており、外シート本体部と内シート本体部との間にシート状食品が配置されるように構成されており、外シート延出部における前記一対の両側延出領域を構成する部分と、内シート延出部における前記一対の両側延出領域を構成する部分とが連結されており、外シートにおける前記一対の切込部間の領域が内シートに連結されないように構成されることが好ましい。
【００１５】
斯かる構成によれば、外シートは、前記本体部を構成する外シート本体部と、前記延出部を構成する外シート延出部と、前記一対の切込部とを備えており、内シートは、前記本体部を構成する内シート本体部と、前記延出部を構成する内シート延出部とを備える。また、外シート延出部における前記一対の両側延出領域を構成する部分と、内シート延出部における前記一対の両側延出領域を構成する部分とが連結されており、外シートにおける前記一対の切込部間の領域が内シートに連結されないように構成される。このため、外シートが外側となるように米飯加工食品を包装する際に、一対の両側延出領域同士を連結することで、一対の切込部の近傍（摘み部の近傍）において外シートと内シートとの間に隙間が生じ難くなる。このため、外シートと内シートとの間への異物の侵入や、シート状食品の品質の低下を抑制することができる。
【００１６】
また、外シート本体部と内シート本体部との間にシート状食品が配置されるため、シート状食品は、延出部と重なり合わない。このため、一対の両側延出領域を連結する作業がシート状食品の品質に悪影響を与えるのを抑制することができる。
【００１７】
前記一方向に沿って切断されることで前記他方向に分割される外シートと、該外シートと同方向に分割可能に構成される内シートとを備え、外シートと、内シートとがシート状食品を介して重ね合わされた状態でシート状食品を囲むように連結されて形成されており、外シートは、前記本体部を構成する外シート本体部と、前記延出部を構成する外シート延出部と、前記一対の切込部とを備えており、内シートは、前記本体部を構成する内シート本体部を備えると共に、前記延出部を構成する部分を備えないように構成されており、外シート本体部と内シート本体部との間にシート状食品が配置されるように構成されており、外シート延出部における前記一対の切込部よりも前記他方向の両端側の領域によって前記一対の両側延出領域が構成されることが好ましい。
【００１８】
斯かる構成によれば、外シートは、前記本体部を構成する外シート本体部と、前記延出部を構成する外シート延出部と、前記一対の切込部とを備えており、内シートは、前記本体部を構成する内シート本体部を備えると共に、前記延出部を構成する部分を備えないように構成される。また、外シート延出部における前記一対の切込部よりも前記他方向の両端側の領域によって前記一対の両側延出領域が構成される。このため、外シートが外側となるように米飯加工食品を包装する際に、一対の両側延出領域同士を連結することで、一対の切込部の近傍（摘み部の近傍）において外シートと内シートとの間に隙間が生じ難くなる。このため、外シートと内シートとの間への異物の侵入や、シート状食品の品質の低下を抑制することができる。
【００１９】
また、外シート本体部と内シート本体部との間にシート状食品が配置されるため、シート状食品は、延出部と重なり合わない。このため、一対の両側延出領域を連結する作業がシート状食品の品質に悪影響を与えるのを抑制することができる。
【００２０】
前記延出部は、前記仮想線を境に前記他方向に分離して形成された一対の延出片を備えており、前記一対の切込部の一方が一方の延出片の端縁に達するように形成され、前記一対の切込部の他方が他方の延出片の端縁に達するように形成されており、前記一対の延出片は、前記仮想線の近傍に形成されることが好ましい。
【００２１】
斯かる構成によれば、前記延出部は、前記仮想線を境に前記他方向に間隔を空けて形成された一対の延出片を備えており、該一対の延出片は、前記仮想線の近傍に形成される。これにより、折り返し状態において、折り返し位置の近傍で一対の両側延出領域同士が連結されるため、折り返し位置近傍における封止を良好に行うことができる。
【００２２】
前記本体部は、前記一対の切込部における前記本体部側に位置する各他端部を起点に、第一方向において第一端部に対向する第二端部へ向かって切断された際に、他の領域から分離される帯状の分離部を備えており、前記一対の両側延出領域は、分離部における前記他方の対向部を構成する部分と重なる位置で連結可能に構成されることが好ましい。
【００２３】
斯かる構成によれば、分離部における他方の対向部を構成する部分と重なる位置で一対の両側延出領域が連結可能に構成される。これにより、米飯加工食品が包装された状態で分離部が他の領域から分離することで（即ち、本体部が切断されることで）、連結された状態の一対の両側延出領域と、分離された分離部とが接触することになる。これにより、本体部の切断（分離部の分離）に伴って一対の両側延出領域の連結が解かれるため、米飯加工食品が包装された状態を容易に解くことができる。
【発明の効果】
【００２４】
以上のように、本発明によれば、米飯加工食品を包装した状態で、摘み部を容易に摘むことができる。
【図面の簡単な説明】
【００２５】
【図１】本発明の一実施形態に係る米飯加工食品用包装材を示した分解斜視図。
【図２】同実施形態に係る米飯加工食品用包装材を外シート側から見た平面図。
【図３】同実施形態に係る米飯加工食品用包装材を内シート側から見た平面図。
【図４】（ａ）は、同実施形態に係る米飯加工食品用包装材を用いて三角形状のおにぎりを包装した状態を示す斜視図、（ｂ）は、（ａ）の状態において、包装体を摘み部側から連結部側へ向かって見た際の摘み部近傍の拡大図。
【図５】（ａ）は、他の実施形態に係るに米飯加工食品用包装材の延出部の近傍を外シート側から見た平面図、（ｂ）は、更に他の実施形態に係るに米飯加工食品用包装材の延出部の近傍を外シート側から見た平面図。
【図６】更に他の実施形態に係る米飯加工食品用包装材を示した分解斜視図。
【発明を実施するための形態】
【００２６】
以下に、本発明に係る米飯加工食品用包装材の実施形態について、図面に基づいて説明する。なお、以下の図面において同一又は相当する部分には同一の参照符号を付しその説明は繰り返さない。また、以下の説明で、一方向とは、各図の座標軸のｘ軸に沿った方向であり、他方向とは、各図の座標軸のｙ軸に沿った方向である。また、以下では、「米飯加工食品用包装材」を単に「包装材」と称することがある。
【００２７】
本実施形態に係る包装材１は、図１に示すように、米飯加工食品Ａを包装するものである。米飯加工食品Ａとしては、三角形状や樽形状などに握られた各種おにぎりの他、鮨なども含まれるが、本実施形態では、三角形状のおにぎりを例として説明する。
【００２８】
包装材１は、米飯加工食品Ａと接する内シート２と、該内シート２に重ね合わされる外シート３とを備える。そして、内シート２（後述する内シート本体部２ａ）および外シート３（後述する外シート本体部３ａ）は、米飯加工食品Ａに巻く海苔等のシート状食品Ｂを介して重ね合された状態で、シート状食品Ｂを囲むように連結される。これにより、包装材１は、米飯加工食品Ａを包装した際に、米飯加工食品Ａとシート状食品Ｂとが分離した状態となる。なお、シート状食品Ｂには、シート状の海苔の他、畳鰯なども含まれるが、本実施形態では、シート状の海苔を例として説明する。
【００２９】
内シート２は、外シート３と略同一形状を有する。また、内シート２は、米飯加工食品Ａを包み込み可能なシート状の内シート本体部２ａと、一方向（以下、第一方向とも記す）における内シート本体部２ａの第一端部２ｂから内シート本体部２ａの外側へ向かって延出する内シート延出部２ｃとを備える。本実施形態では、内シート延出部２ｃは、第一方向に交差する他方向（以下、第二方向とも記す）に分離して形成された一対の内シート延出片２ｄ，２ｄを備える。該各内シート延出片２ｄは、延出方向側に向かって先細りとなるように形成される。本実施形態では、各内シート延出片２ｄは、第一方向に交差する方向に延びる二つの傾斜端縁を備える三角形状に形成される。
【００３０】
また、内シート２は、第二方向に分割可能に構成される。具体的には、内シート２は、一対の内シート片２ｅ，２ｅから構成される。一対の内シート片２ｅ，２ｅは、第二方向における内シート２の略中央部で、第一方向に沿って重なるように配置される（即ち、一対の内シート片２ｅ，２ｅの重なる領域が第一方向に沿って形成される）。これにより、内シート２は、第二方向に分割可能となっている。また、一方の内シート片２ｅが一方の内シート延出片２ｄを備え、他方の内シート片２ｅが他方の内シート延出片２ｄを備えており、一対の内シート片２ｅ，２ｅの重なる部分の近傍に一対の内シート延出片２ｄ，２ｄが形成される。
【００３１】
外シート３は、内シート２と略同一形状を有する。また、外シート３は、米飯加工食品Ａを包み込み可能なシート状の外シート本体部３ａと、第一方向における外シート本体部３ａの第一端部３ｂから外シート本体部３ａの外側へ向かって延出する外シート延出部３ｃとを備える。本実施形態では、外シート延出部３ｃは、第二方向に分離して形成された一対の外シート延出片３ｄ，３ｄを備える。各外シート延出片３ｄは、延出方向側に向かって先細りとなるように形成される。本実施形態では、各外シート延出片３ｄは、第一方向に交差する方向に延びる二つの傾斜端縁を備える三角形状に形成される。
【００３２】
また、外シート３は、外シート本体部３ａに積層される帯状のカットテープ３ｅを更に備える。該カットテープ３ｅは、第一方向が長手となるように配置される。また、カットテープ３ｅは、外シート本体部３ａの第二方向の中央部に第二方向に間隔を空けて一対配置される。
【００３３】
また、外シート３は、外シート本体部３ａの第一端部３ｂと外シート延出部３ｃ（具体的には、一対の外シート延出片３ｄ，３ｄ）とが第二方向に間隔を空けた位置で第一方向に延びる線状に切り込まれて形成された一対の外シート切込部３ｆ，３ｆを備える。該一対の外シート切込部３ｆ，３ｆは、外シート延出部３ｃ側の一端部が外シート延出部３ｃの端縁に達するように形成される。本実施形態では、一方の外シート切込部３ｆは、一方の外シート延出片３ｄの端縁（具体的には、外シート本体部３ａの第一端部３ｂから延出方向に離れるに従って該第一端部３ｂの中央部から第二方向に離れるように傾斜する端縁）に達するように形成され、他方の外シート切込部３ｆは、他方の外シート延出片３ｄの端縁（具体的には、外シート本体部３ａの第一端部３ｂから延出方向に離れるに従って該第一端部３ｂの中央部から第二方向に離れるように傾斜する端縁）に達するように形成される。また、一対の外シート切込部３ｆ，３ｆは、外シート本体部３ａから外シート延出部３ｃ側（具体的には、一対の外シート延出片３ｄ，３ｄ側）に向かうに従って間隔が拡開するように形成される。また、一対の外シート切込部３ｆ，３ｆは、一端部間の間隔が他の位置の間隔よりも広くなるように構成される。また、一対の外シート切込部３ｆ，３ｆは、第二方向に膨らむように湾曲して形成される。
【００３４】
また、一対の外シート切込部３ｆ，３ｆの間には、一対のカットテープ３ｅ，３ｅの一端部が位置するように構成される。そして、外シート３（外シート本体部３ａ）における一対の外シート切込部３ｆ，３ｆ間の領域が他の領域から分離されて、一対の外シート切込部３ｆ，３ｆ間に、指などで摘むことが可能な摘み部３ｇが形成される。
【００３５】
これにより、外シート本体部３ａの第一端部３ｂから該第一端部３ｂに対向する位置の第二端部３ｈ側へ摘み部３ｇを第一方向に沿って引っ張ることで、一対の外シート切込部３ｆ，３ｆの各他端部を起点に外シート３（外シート本体部３ａ）を第一方向に沿って（カットテープ３ｅに沿って）切断することが可能となる。そして、このような外シート３の切断に伴って、一対の外シート切込部３ｆ，３ｆの各他端部から第一方向に延びる帯状の領域が外シート３（外シート本体部３ａ）から分離される。これにより、外シート３が第二方向に分割可能となる。
【００３６】
上記のような構成を有する包装材１は、図２，３に示すように、米飯加工食品を包み込み可能なシート状の本体部１ａと、第一方向における本体部１ａの第一端部１ｂから本体部１ａの外側へ向かって延出する延出部１ｃと、本体部１ａの第一端部１ｂ及び延出部１ｃが第二方向に間隔を空けた位置で第一方向に延びる線状に切り込まれて形成された一対の切込部１ｆ，１ｆと、該一対の切込部１ｆ，１ｆの間に形成される摘み部１ｇとを備える。そして、延出部１ｃは、一対の切込部１ｆ，１ｆよりも第二方向の両端側の領域に一対の両側延出領域１ｉ，１ｉを備える。
【００３７】
本体部１ａは、内シート本体部２ａと外シート本体部３ａとが重なり合って形成される。また、本体部１ａでは、内シート本体部２ａと外シート本体部３ａと間にシート状食品Ｂが収容される。また、本体部１ａでは、シート状食品Ｂの周囲で内シート本体部２ａと外シート本体部３ａとが連結される。
【００３８】
延出部１ｃは、内シート延出部２ｃと外シート延出部３ｃとが重なり合って形成される。本実施形態では、延出部１ｃは、一対の内シート延出片２ｄ，２ｄと、一対の外シート延出片３ｄ，３ｄとが重なり合って形成された一対の延出片１ｄ，１ｄから構成される。各延出片１ｄは、延出方向に向かって先細りとなるように形成される。本実施形態では、各延出片１ｄは、第一方向に交差する方向に延びる二つの傾斜端縁を備える三角形状に形成される。また、一対の延出片１ｄ，１ｄは、一対の切込部１ｆ，１ｆの間を通って第一方向に延びる仮想線Ｌを境に第二方向に離間した位置（具体的には、仮想線Ｌから等距離）に形成される。また、一対の延出片１ｄ，１ｄは、仮想線Ｌの近傍に形成される。そして、延出部１ｃでは、外シート延出部３ｃにおける一対の両側延出領域１ｉ，１ｉを構成する部分と、内シート延出部２ｃにおける一対の両側延出領域１ｉ，１ｉを構成する部分とが連結される。
【００３９】
一対の切込部１ｆ，１ｆは、延出部１ｃ側の一端部が延出部１ｃの端縁に達するように形成される。具体的には、一対の切込部１ｆ，１ｆの一方が一方の延出片１ｄの端縁（本体部１ａの第一端部１ｂから延出方向に離れるに従って仮想線Ｌから第二方向に離れるように傾斜する端縁）に達するように形成され、一対の切込部１ｆ，１ｆの他方が他方の延出片１ｄの端縁（本体部１ａの第一端部１ｂから延出方向に離れるに従って仮想線Ｌから第二方向に離れるように傾斜する端縁）に達するように形成される。また、一対の切込部１ｆ，１ｆは、本体部１ａ側から延出部１ｃ側に向かうに従って間隔が拡開するように形成される。また、一対の切込部１ｆ，１ｆは、外シート３が備える一対の外シート切込部３ｆ，３ｆから構成される。また、外シート３における一対の外シート切込部３ｆ，３ｆ間の領域（摘み部３ｇ）は、内シート２に連結されないように構成される。
【００４０】
そして、本体部１ａは、米飯加工食品が間に位置するように第二方向に沿って二つに折り返された際に対向するように配置される一対の対向部１ｊ，１ｋと、該一対の対向部１ｊ，１ｋの間に形成されて、一対の対向部１ｊ，１ｋと連なる連結部１ｍとを備える。本体部１ａは、一方の対向部１ｊの第一方向の一端部（本体部１ａの第一端部１ｂ）側に一対の切込部１ｆ，１ｆ（一対の外シート切込部３ｆ，３ｆ）及び摘み部１ｇ（摘み部３ｇ）を備える。
【００４１】
また、本体部１ａは、一対の切込部１ｆ，１ｆの本体部１ａ側に位置する各他端部を起点に、第一端部１ｂから該第一端部１ｂに対向する第二端部１ｈへ向かって切断されることで他の領域から分離可能に構成された帯状の分離部１ｎを備える。
【００４２】
上記のように構成される包装材１を用いて三角形状のおにぎり（一対の三角形状の面と、該一対の三角形状の面の外周を連結する側面とを備えるもの）を包装する際には、一対の対向部１ｊ，１ｋの間におにぎりが位置するように外シート３を外側にして本体部１ａを二つに折り返す。この際、三角形状のおにぎりの一つの頂点部が連結部１ｍと対向する位置に配置され、他の２つの頂点部間の側面が連結部１ｍに当接する。
【００４３】
そして、一方の対向部１ｊのおにぎりと重ならない第二方向の両端側の領域を仮想線Ｌを中心に他方の対向部１ｋ側へ折り返して重ね合わせる。これにより、一方の対向部１ｊの端部に位置する本体部１ａの第一端部１ｂ（延出部１ｃと連なる端部）が仮想線Ｌを中心に、他方の対向部１ｋ側へ折り返された状態になる。そして、斯かる状態で、一対の両側延出領域１ｉ，１ｉ同士を連結することで、図４（ａ）（ｂ）に示すように、おにぎりが包装された状態（包装体１００）が形成される。
【００４４】
斯かる状態では、一対の両側延出領域１ｉ，１ｉは、摘み部１ｇの近傍で連結される。また、連結された一対の両側延出領域１ｉ，１ｉよりも連結部１ｍ側の位置で、一方の対向部１ｊにおける他方の対向部１ｋ側へ折り返された領域同士が重なり合うと共に、該領域が他方の対向部１ｋと重なり合う。また、一対の両側延出領域１ｉ，１ｉは、分離部１ｎにおける他方の対向部１ｋを構成する部分と重なる位置で連結される。
【００４５】
また、一対の両側延出領域１ｉ，１ｉは、合掌状態（一方の面倒同士を対峙させた状態）で連結される。一対の両側延出領域１ｉ，１ｉを連結する方法としては、特に限定されるものではなく、例えば、一対の両側延出領域１ｉ，１ｉ同士をヒートシールによって連結してもよく、粘着剤や粘着テープ等を介して連結してもよい。
【００４６】
そして、三角形状のおにぎりが包装された状態からおにぎりを取り出す際には、包装材１の摘み部１ｇ（本実施形態では、外シート３の摘み部３ｇ）を外シート３の第一方向に沿って引っ張ることで、外シート３が切断されて分離部１ｎが他の領域から分離されると共に、他方の対向部１ｋに位置する分離部１ｎと重なる位置で連結された一対の両側延出領域１ｉ，１ｉの連結が分離部１ｎとの接触によって解かれる。これにより、外シート３が第二方向に分割可能となる。そして、斯かる状態において、包装材１における分離部が取り除かれた部分を境に包装材１を第二方向に引っ張ることで、おにぎりと海苔との間から内シート２が引き抜かれると共に包装材１がおにぎり及び海苔から取り去られ、海苔と一体となったおにぎりが取り出される。
【００４７】
以上のように、本発明に係る米飯加工食品用包装材によれば、米飯加工食品を包装した状態で、摘み部を容易に摘むことができる。
【００４８】
即ち、米飯加工食品Ａが間に位置するように第二方向に沿って本体部１ａを二つに折り返し、一方の対向部１ｊの端部に位置する本体部１ａの第一端部（延出部１ｃと連なる端部）１ｂを他方の対向部１ｋ側へ折り返した状態（以下、折り返し状態とも記す）で、一対の両側延出領域１ｉ，１ｉ同士を連結する。これにより、米飯加工食品Ａが包装された状態を容易に、且つ、良好に維持することができる。具体的には、一対の両側延出領域１ｉ，１ｉは、本体部１ａの第一端部１ｂから延出するように形成されるため、上述のような折り返し状態であっても、一対の両側延出領域１ｉ，１ｉ同士の連結を容易に行うことができる。そして、このように一対の両側延出領域１ｉ，１ｉ同士が連結されることで、折り返し状態を良好に維持することができる。
【００４９】
また、一対の切込部１ｆ，１ｆは、本体部１ａの第一端部１ｂ及び延出部１ｃが第一方向に延びる線状に切り込まれて形成されると共に、延出部１ｃ側の一端部が延出部１ｃの端縁に達するように形成され、且つ、本体部１ａ側から延出部１ｃ側へ向かうに従って間隔が拡開するように形成される。このため、上述のように、一対の両側延出領域１ｉ，１ｉ同士が連結されて折り返し状態が維持されていても、一対の切込部１ｆ，１ｆ間に形成される摘み部１ｇは、本体部１ａから離れるに従って面状に広がり易くなる。これにより、摘み部１ｇを容易に摘むことができる。
【００５０】
また、外シート３は、本体部１ａを構成する外シート本体部３ａと、延出部１ｃを構成する外シート延出部３ｃと、一対の切込部１ｆ，１ｆとを備えており、内シート２は、本体部１ａを構成する内シート本体部２ａと、延出部１ｃを構成する内シート延出部２ｃとを備える。また、外シート延出部３ｃにおける一対の両側延出領域１ｉ，１ｉを構成する部分と、内シート延出部２ｃにおける一対の両側延出領域１ｉ，１ｉを構成する部分とが連結されており、外シート３における一対の切込部１ｆ，１ｆ間の領域が内シート２に連結されないように構成される。このため、外シート３が外側となるように米飯加工食品Ａを包装する際に、一対の両側延出領域１ｉ，１ｉ同士を連結することで、一対の切込部１ｆ，１ｆの近傍（摘み部１ｇの近傍）において外シート３と内シート２との間に隙間が生じ難くなる。このため、外シート３と内シート２との間への異物の侵入や、シート状食品Ｂの品質の低下を抑制することができる。
【００５１】
また、外シート本体部３ａと内シート本体部２ａとの間にシート状食品Ｂが配置されるため、シート状食品Ｂは、延出部１ｃと重なり合わない。このため、一対の両側延出領域１ｉ，１ｉを連結する作業がシート状食品Ｂの品質に悪影響を与えるのを抑制することができる。
【００５２】
また、延出部１ｃは、仮想線Ｌを境に第二方向に間隔を空けて形成された一対の延出片１ｄ，１ｄを備えており、該一対の延出片１ｄ，１ｄは、仮想線Ｌの近傍に形成される。これにより、折り返し状態において、折り返し位置の近傍で一対の両側延出領域１ｉ，１ｉ同士が連結されるため、折り返し位置近傍における封止を良好に行うことができる。
【００５３】
また、分離部１ｎにおける他方の対向部１ｋを構成する部分と重なる位置で一対の両側延出領域１ｉ，１ｉが連結可能に構成される。これにより、米飯加工食品Ａが包装された状態で分離部１ｎが他の領域から分離することで（即ち、本体部１ａが切断されることで）、連結された状態の一対の両側延出領域１ｉ，１ｉと、分離された分離部１ｎとが接触することになる。これにより、本体部１ａの切断（分離部１ｎの分離）に伴って一対の両側延出領域１ｉ，１ｉの連結が解かれるため、米飯加工食品Ａが包装された状態を容易に解くことができる。
【００５４】
なお、本発明に係る米飯加工食品用包装材は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００５５】
例えば、上記実施形態では、延出部１ｃは、一対の延出片１ｄ，１ｄから構成されているが、これに限定されるものではなく、例えば、図５（ａ）に示すように、仮想線Ｌを跨いで第二方向に連続するように形成されてもよい。
【００５６】
また、上記実施形態では、各延出片１ｄは、延出方向に向かって仮想線Ｌから離れるように形成された傾斜端縁を備えているが、これに限定されるものではなく、例えば、図５（ｂ）に示すように、延出方向に向かって仮想線Ｌへ近づく傾斜端縁と、仮想線Ｌに沿って伸びる端縁とを備えるように構成されてもよい。斯かる場合には、一対の切込部１ｆ，１ｆの各一端部は、各延出片１ｄにおける本体部１ａの第一端部１ｂから延出方向に離れるに従って仮想線Ｌへ近づくように傾斜する端縁に達するように形成されてもよい。
【００５７】
また、上記実施形態では、内シート２が内シート延出部２ｃ（具体的には、一対の内シート延出片２ｄ，２ｄ）を備えるように構成されているが、これに限定されるものではなく、例えば、図６に示すように、内シート２が延出部１ｃを構成する部分を備えないように構成されてもよい。斯かる場合には、外シート延出部３ｃにおける一対の外シート切込部３ｆ，３ｆよりも第二方向の両端側の領域によって一対の両側延出領域１ｉ，１ｉが構成される。
【００５８】
斯かる構成によれば、外シート３は、本体部１ａを構成する外シート本体部３ａと、延出部１ｃを構成する外シート延出部３ｃと、一対の切込部１ｆ，１ｆとを備えており、内シート２は、本体部１ａを構成する内シート本体部２ａを備えると共に、延出部１ｃを構成する部分を備えないように構成される。また、外シート延出部３ｃにおける一対の切込部１ｆ，１ｆよりも第二方向の両端側の領域によって一対の両側延出領域１ｉ，１ｉが構成される。このため、外シート３が外側となるように米飯加工食品Ａを包装する際に、一対の両側延出領域１ｉ，１ｉ同士を連結することで、一対の切込部１ｆ，１ｆの近傍（摘み部１ｇの近傍）において外シート３と内シート２との間に隙間が生じ難くなる。このため、外シート３と内シート２との間への異物の侵入や、シート状食品Ｂの品質の低下を抑制することができる。
【００５９】
また、外シート本体部３ａと内シート本体部２ａとの間にシート状食品Ｂが配置されるため、シート状食品Ｂは、延出部１ｃと重なり合わない。このため、一対の両側延出領域１ｉ，１ｉを連結する作業がシート状食品Ｂの品質に悪影響を与えるのを抑制することができる。
【００６０】
また、上記実施形態では、内シート延出部２ｃと外シート延出部３ｃとによって延出部１ｃが構成されている、又は、外シート延出部３ｃのみによって延出部１ｃが構成されているが、これに限定されるものではなく、例えば、内シート延出部２ｃのみによって延出部１ｃが構成されてもよい。
【００６１】
また、一方の対向部１ｊにおける他方の対向部１ｋ側へ折り返された部分と、他方の対向部１ｋとが重なり合ってヒートシール等で連結されてもよい。
【００６２】
また、上記実施形態では、一対の両側延出領域１ｉ，１ｉは、合掌状態（一方の面倒同士を対峙させた状態）で連結されているが、これに限定されるものではなく、例えば、一方の面と他方の面とが対峙した状態で連結されてもよい。
【００６３】
また、上記実施形態では、内シート２と外シート３との間にシート状食品が収容されて包装材１が形成されているが、これに限定されるものではなく、例えば、外シート３のみから包装材が構成されてもよい。
【００６４】
また、上記実施形態では、本体部１ａ（外シート３）が分離部１ｎを備えるように構成されているが、これに限定されるものではなく、例えば、本体部１ａ（外シート３）が一方向に延びる一つの仮想線上でのみ切断される（即ち、分離される部分が無いように切断される）ように構成されてもよい。
【００６５】
また、上記実施形態では、米飯加工食品用包装材１が延出部１ｃを備えるように構成されているが、これに限定されるものではなく、例えば、米飯加工食品用包装材１が延出部１ｃを備えないように（即ち、本体部１ａのみで）構成されてもよい。斯かる場合、一対の切込部１ｆ，１ｆは、第一方向の一端部が本体部１ａの端縁に達するように形成される共に、第一方向における他端部から一端部に向かうに従って間隔が拡開するように形成される。
【００６６】
また、上記実施形態では、帯状の分離部１ｎは、長手方向に延びる両側縁が平行する直線状に（該両側縁の間隔が略変化しないように）形成されているが、これに限定されるものではなく、例えば、帯状の分離部１ｎの長手方向の両端部から中央部へ向かうに従って分離部１ｎの両側縁の間隔が連続的に拡開するように構成されてもよい。又は、分離部１ｎの両側縁のそれぞれが波状に形成されてもよい。
【符号の説明】
【００６７】
１…米飯加工食品用包装材、１ａ…本体部、１ｂ…第一端部、１ｃ…延出部、１ｄ…延出片、１ｆ…切込部、１ｇ…摘み部、１ｈ…第二端部、１ｉ…両側延出領域、１ｊ…一方の対向部、１ｋ…他方の対向部、１ｍ…連結部、１ｎ…分離部、２…内シート、２ａ…内シート本体部、２ｂ…第一端部、２ｃ…内シート延出部、２ｄ…内シート延出片、２ｅ…内シート片、３…外シート、３ａ…外シート本体部、３ｂ…外シート本体部の第一端部、３ｃ…外シート延出部、３ｄ…外シート延出片、３ｅ…カットテープ、３ｆ…外シート切込部、３ｇ…摘み部、３ｈ…外シート本体部の第二端部、１００…包装体、Ａ…米飯加工食品、Ｂ…シート状食品、Ｌ…仮想線
【図１】
2019218119.tif 000003
【図２】
2019218119.tif 000004
【図３】
2019218119.tif 000005
【図４】
2019218119.tif 000006
【図５】
2019218119.tif 000007
【図６】
2019218119.tif 000008